(57)【要約】  本発明は、速度センサ（１００）に対し相対的に運動する物体の速度を測定するための速度センサ（１００）に関する。この速度センサ（１００）は速度センサハウジング（１１１）を備え、速度センサハウジング（１１１）は、位置固定された受容部内に摺動および／または摩擦および／または形状による結合によって装着するために設けられており、速度センサハウジング（１１１）は、プラスチックから成る射出成形部品（１０７）を収容し、射出成形部品（１０７）内に速度センサ素子（１０４、１０５）の少なくとも一部分がインサート成形されている。本発明によれば、以下のように構成されている。すなわち、ａ）射出成形部品（１０７）は、速度センサハウジング（１１１）の壁部の内面（１１２）と向き合った射出成形部品（１０７）の外周面（１１３）に、少なくとも１つの外側空所（１１６）を有しており、１つの外側空所（１１６）の境界面と、速度センサハウジング（１１１）の壁部の内面（１１２）との間に、それぞれ１つの外側空室が形成され、かつ／またはｂ）射出成形部品（１０７）の内部に、内側空室を成す少なくとも１つの内側空所（１１９）が形成されている。空気で満たされたまたは部分的にまたは完全に排気されたこれらの空室によって、ハウジングから射出成形部品への熱伝達もしくは射出成形部品内部の熱輸送を妨げようというものである。
2021510420.tif 000002
【特許請求の範囲】
【請求項１】
速度センサ（１００）に対し相対的に運動する物体の速度を測定するための速度センサ（１００）であって、当該速度センサ（１００）は速度センサハウジング（１１１）を備え、前記速度センサハウジング（１１１）は、位置固定された受容部内に摺動および／または摩擦および／または形状による結合によって装着されるようになっており、前記速度センサハウジング（１１１）は、プラスチックから成る射出成形部品（１０７）を収容し、前記射出成形部品（１０７）内に速度センサ素子（１０４、１０５）の少なくとも一部分がインサート成形されている、速度センサ（１００）において、
ａ）前記射出成形部品（１０７）は、前記速度センサハウジング（１１１）の壁部の内面（１１２）と向き合った前記射出成形部品（１０７）の外周面（１１３）に、少なくとも１つの外側空所（１１６）を有しており、１つの外側空所（１１６）の境界面と、前記速度センサハウジング（１１１）の前記壁部の前記内面（１１２）との間に、それぞれ１つの外側空室が形成され、かつ／または
ｂ）前記射出成形部品（１０７）の内部に、内側空室を成す少なくとも１つの内側空所（１１９）が形成されている
ことを特徴とする、速度センサ（１００）。
【請求項２】
少なくとも１つの内側空室または外側空室は排気されている、
請求項１記載の速度センサ。
【請求項３】
前記速度センサハウジング（１１１）は、少なくとも部分的に円筒状のスリーブ形状であり、前記射出成形部品（１０７）は、少なくとも部分的に円筒状の中実体として形成されている、
請求項１または２記載の速度センサ。
【請求項４】
少なくとも１つの前記速度センサ素子（１０４、１０５）は、能動型センサ素子または受動型センサ素子である、
請求項１から３までのいずれか１項記載の速度センサ。
【請求項５】
前記内側空所（１１９）および／または前記外側空所（１１６）は、前記射出成形部品（１０７）に部分的にしか進入しておらず、完全には進入していない、
請求項１から４までのいずれか１項記載の速度センサ。
【請求項６】
前記速度センサハウジング（１１１）はクランプスリーブとして構成されている、
請求項１から５までのいずれか１項記載の速度センサ。
【請求項７】
前記速度センサハウジング（１１１）は鋼板から製造されている
請求項１から６までのいずれか１項記載の速度センサ。
【請求項８】
前記速度センサハウジング（１１１）と前記射出成形部品（１０７）との間に、少なくとも１つのシール部材（１１８）が配置されており、前記シール部材（１１８）は、少なくとも１つの前記外側空室を周囲から密閉している、
請求項１から７までのいずれか１項記載の速度センサ。
【請求項９】
当該速度センサは回転数センサであり、前記運動する物体は回転する物体である、
請求項１から８までのいずれか１項記載の速度センサ。
【請求項１０】
前記回転する物体は、当該速度センサ（１００）の永久磁石（１０２）を備えたロータ（１０１）を駆動し、前記永久磁石（１０２）は前記ロータ（１０１）の周囲に、前記永久磁石（１０２）の磁極が交互に並ぶように配置されている、
請求項９記載の速度センサ。
【請求項１１】
前記回転する物体は、当該速度センサ（１００）の歯および間隙（１０２’）を備えたロータ（１０１）を駆動し、前記歯および前記間隙（１０２’）は前記ロータ（１０１）の周囲に、前記歯および前記間隙（１０２’）が交互に並ぶように配置されている、
請求項９記載の速度センサ。
【請求項１２】
前記速度センサ素子（１０４、１０５）は、磁界の変化を探査するためにホール素子と半導体チップとを含み、または前記速度センサ素子（１０４、１０５）は、磁石を用いて磁界の変化を検出するために用いられる、
請求項９から１１までのいずれか１項記載の速度センサ。
【請求項１３】
ａ）前記速度センサハウジング（１１１）はカップ状に形成されており、前記回転する物体と向き合った前記速度センサハウジング（１１１）の終端部に、速度センサハウジング底部（１１５）を有しており、
ｂ）前記射出成形部品（１０７）の周面の、前記回転する物体と向き合った終端部側の端面に、端面側外側空所（１１６）が形成されており、前記端面側外側空所（１１６）の底面に、前記速度センサ素子（１０４、１０５）の少なくとも一部分が配置されており、
ｃ）前記端面側外側空所（１１６）の前記底面と、前記速度センサハウジング底部（１１５）との間に、端面側外側空室が形成される、
請求項９から１２までのいずれか１項記載の速度センサ。
【請求項１４】
強磁性材料から成る結合部材（１２０）が設けられており、前記結合部材（１２０）は、前記速度センサ素子（１０４、１０５）から前記射出成形部品（１０７）の前記端面側外側空所（１１６）内に至るまで、軸線方向で延在している、
請求項１３記載の速度センサ。
【請求項１５】
前記結合部材（１２０）は、冷却フィン（１２１）を、かつ／または前記磁界を集束させるために少なくとも一方の端部にテーパ部（１２２）を有する、
請求項１４記載の速度センサ。
【請求項１６】
請求項１から１５までのいずれか１項記載の少なくとも１つの速度センサ（１００）を含む運転者支援システム、特にアンチロックブレーキシステム（ＡＢＳ）、トラクションコントロールシステム（ＴＣＳ）、横滑り防止装置（ＥＳＰ）、アダプティブクルーズコントロール（ＡＣＣ）、または車両追従制御システム。
【請求項１７】
請求項１６記載の運転者支援システムを備えた自動車。
【発明の詳細な説明】
【技術分野】
【０００１】
本発明は、速度センサに対し相対的に運動する物体の速度を測定するための、請求項１の上概念記載の速度センサに関する。この速度センサは速度センサハウジングを備え、この速度センサハウジングは、位置固定された受容部内に摩擦および／または形状による結合によって装着するために設けられており、この場合、速度センサハウジングは、プラスチックから成る射出成形部品を収容し、この射出成形部品内に速度センサ素子の少なくとも一部分がインサート成形されている。
【０００２】
本発明は、請求項１６記載の、少なくとも１つの速度センサを含む運転者支援システム、特にアンチロックブレーキシステム（ＡＢＳ）、トラクションコントロールシステム（ＴＣＳ）、横滑り防止装置（ＥＳＰ）、アダプティブクルーズコントロール（ＡＣＣ）、または車両追従制御システムにも関する。
【０００３】
とりわけ本発明は、運転者支援システムを備えた請求項１７記載の自動車にも関する。
【０００４】
この種の速度センサは、たとえば歯車など運動する機械部材において、それらの部材の速度もしくは回転数を特定し、接続された電気導体を介して相応の信号を後続処理のために電子装置へ供給するために、設けられている。かかる速度センサの代表としてたとえば車輪回転数センサを挙げることができ、このセンサは、自動車の車輪の回転数をアンチロックブレーキシステムの枠内で捕捉する。
【０００５】
受動型の速度センサと能動型の速度センサとが知られている。能動型の速度センサは、内部で増幅または信号成形を行う構成要素を含み電流供給部により駆動される測定センサ素子である。センサ信号は、センサ内に組み込まれた自身の電子装置により直接、矩形波信号を送出することができる。これに対し受動型の速度センサは、受動素子（インダクタンス、キャパシタンスおよび抵抗を有する誘導コイルなど）しか含まないセンサである。信号はたいていのケースにおいてアナログ電圧として送出され、通常、回転数に相応する周波数の正弦波電圧に従って変化する。
【０００６】
よって、アンチロックブレーキシステムにおける回転数センサは、「受動型」の場合もあるし、または「能動型」の場合もある。したがって持続的に接続された電流供給部が設けられていない回転数センサ（「受動的な」誘導コイル）は、「受動型」と称される。「能動的な」電子ユニットが持続的に電流供給部に接続されていて、たとえば「ホール効果」の動作原理を用いた回転数センサは、「能動型」と称される。
【０００７】
上位概念記載の速度センサは、独国特許発明第４３３１９６９号明細書から公知である。
【０００８】
この場合、かかる速度センサを使用したときに起こり得るのは、周囲から（たとえばブレーキディスクの近くに組み込まれた場合）、もしくは運動する物体から、比較的大きな熱エネルギーが速度センサに伝達されることであり、このことはとりわけ、組み込まれた評価電子装置をセンサ素子が含む上述の能動型の速度センサの場合に不都合である。過熱によって、かかる速度センサは誤測定を引き起こす可能性があり、または故障する可能性がある。
【０００９】
よって、本発明の基礎とする課題は、上述の形式の速度センサを、いっそう高められた機能安全性を有するように、さらに発展させることである。さらに、少なくとも１つのかかる速度センサを備えた車両支援システムも、かかる車両支援システムを備えた車両も、提供できるようにしたい。
【００１０】
この課題は、請求項１、１６および１７の特徴によって解決される。
【００１１】
発明の開示
本発明は、速度センサに対し相対的に運動する物体の速度を測定するための速度センサに関するものであり、この速度センサは速度センサハウジングを備え、この速度センサハウジングは、位置固定された受容部内に摩擦および／または形状による結合によって装着するために設けられており、この場合、速度センサハウジングは、プラスチックから成る射出成形部品を収容し、この射出成形部品内に速度センサ素子の少なくとも一部分がインサート成形されている。
【００１２】
したがって速度センサ素子の少なくとも一部分または少なくとも１つの部品は、プラスチックから成る射出成形部品の１次成形において１つの作業工程で射出成形部品内にインサート成形される。その際に電気ケーブルを射出成形部品から突出させることができ、速度センサ素子により捕捉された速度信号をたとえば電子装置へ後続処理のために転送する目的で、これらの電気ケーブルは、速度センサ素子の少なくとも一部分と電気的に接続されている。
【００１３】
速度センサ素子を、上述の受動型または能動型の速度センサ素子とすることができる。
【００１４】
本発明によれば、以下のように構成されている。すなわち、
ａ）射出成形部品は、速度センサハウジングの壁部の内面と向き合った射出成形部品の外周面に、少なくとも１つの外側空所を有しており、この場合、１つの外側空所の境界面と、速度センサハウジングの壁部の内面との間に、それぞれ１つの外側空室が形成され、かつ／または
ｂ）射出成形部品の内部に、内側空室を成す少なくとも１つの内側空所が形成されている。
【００１５】
特に、互いに離間され互いに分離された複数の外側空所が、射出成形部品の外周面内に、または外周面のところに設けられており、かつ／または互いに離間され互いに分離された複数の内側空所が射出成形部品の内部に設けられている。
【００１６】
外側空所の境界面とは、外側空室と向き合い、たとえば外側空所の底面を含む外側空所の面のことであると理解されたい。特に、少なくとも１つの空の外側空所を除き、射出成形部品の外周面は滑らかに形成されており、たとえば円筒状である。
【００１７】
内側空室または外側空室は、この場合には特に、たとえばシールリングのようなさらなる構成要素を収容するために用いられるのではなく、絶縁室を形成している。
【００１８】
かかる内側空室または外側空室によって、デュワー瓶のように、起こり得る３つの熱伝達プロセスすなわち熱伝導、熱放射および対流が低減される。熱伝導は、内側空室内または外側空室内の空気もしくは真空の影響を受ける。なぜならば空気もしくは真空は低い熱伝導率を有するからである。同様に内側空室内または外側空室内の空気もしくは真空によって、放射による熱輸送も低減される。内側空室または外側空室の好ましい排気によって、対流による熱輸送が妨げられる。
【００１９】
この場合、自明のとおり、複数のかかる空の内側空所または外側空所もしくは内側空室または外側空室を、射出成形部品の外周面に、もしくは射出成形部品の内部に、形成することができ、このことによって、速度センサの受容部との（直接的な）接触により過熱する可能性がある速度センサハウジングの壁部および射出成形部品からの熱伝達、もしくは射出成形部品内部の熱伝導が、有利な手法で妨げられる。これによって、射出成形部品に、つまりは速度センサ素子の少なくとも一部分に作用する熱負荷が減少し、このことで速度センサ素子の機能安全性が高められる。さらに射出成形部品内部に形成された空室によって、射出成形部品内部の熱伝導が、ひいてはそこにインサート成形された速度センサの少なくとも１つの部品への熱伝導が阻まれる。
【００２０】
従属請求項に記載された構成により、本発明の第１の態様の有利な発展形態および改善を実現することができる。
【００２１】
１つの好ましい実施形態によれば、少なくとも１つの内側空室または外側空室は、排気または部分的に排気されている。上述のように、このようにすることによって、速度センサハウジングの壁部と射出成形部品との間の熱伝達プロセスもしくは射出成形部品内部の熱伝達プロセスが、さらに低減されるようになる。
【００２２】
特に速度センサハウジングを、少なくとも部分的に円筒状のスリーブ形状とすることができ、射出成形部品を少なくとも部分的に円筒状の中実体として、特に重なり合った領域内に形成することができ、この領域内に少なくとも１つの空室が形成されている。
【００２３】
内側空所または外側空所は、射出成形部品に部分的にしか進入することができず、完全に進入することはできない。ただし別の選択肢として、少なくとも１つの内側空所または外側空所が射出成形部品に完全に進入することも考えられる。
【００２４】
特に好ましくは、速度センサハウジングはクランプスリーブとして構成されている。これはたとえば以下のことを意味する。すなわち、速度センサハウジングは外側に向かって弾性的に突出した部材を有しており、これらの部材は受容部への装着時に変形し、それによって受容部たとえば孔の内表面と、速度センサハウジングの弾性的に突出した部材の外表面との間において、摩擦による結合が達成される。このようにすれば、上述の摩擦による結合だけで、さらに任意選択的に付加的に形状による結合と共働させて、速度センサを受容部内に保持することができる。
【００２５】
特に、速度センサハウジングを鋼板から製造することができる。
【００２６】
特に好ましくは、速度センサハウジングと射出成形部品との間に、少なくとも１つのシール部材を配置することができ、このシール部材は、少なくとも１つの外側空室を周囲から密閉する。したがって少なくとも１つのシール部材によって、少なくとも１つのたとえば排気された外側空室が周囲からの空気で満たされるのが妨げられる。
【００２７】
１つの発展形態によれば、速度センサを回転数センサとすることができ、運動する物体を回転する物体とすることができ、この場合、回転する物体はたとえば永久磁石または強磁性の歯を備えたロータを駆動するものであり、これらの永久磁石または強磁性の歯は、それらの磁極もしくは歯と間隙とが交互に隣接するように、ロータの周囲に配置されている。
【００２８】
この場合、永久磁石を備えたロータは特に、速度センサの１つの構成部分を成している。それというのもこの場合、速度センサの測定原理は以下のことに基づくからである。すなわちロータの回転によって磁界にパルス状の変化が生成され、この変化によって、速度センサの静止部分の出力端子に交流電圧信号が引き起こされる。このケースでは速度センサはたとえば速度センサ素子として、磁界の変化を探査するための、ホール素子と半導体チップとを含む。これに加え信号は半導体チップによって増幅され、相応のインタフェースのためにコンディショニングされる。このインタフェースをたとえば、プロトコルを有する電流インタフェースとすることができる。
【００２９】
特に、速度センサハウジングをカップ状に形成することができ、回転する物体と向き合った速度センサハウジングの終端部に、速度センサハウジング底部を有することができる。さらに射出成形部品の周面の、回転する物体と向き合った終端部側の端面に、端面側外側空所を形成することができ、この端面側外側空所の底面に、速度センサ素子の少なくとも一部分が配置されており、その際、端面側外側空所の底面と、速度センサハウジング底部との間に、端面側外側空室が形成される。このようにした場合、速度センサ素子の少なくとも一部分が、この端面側外側空室によって、回転する物体に対し特に効果的に熱絶縁されている。
【００３０】
しかしながら、速度センサ素子が回転する物体からさらに離れれば離れるほど、この速度センサ素子によってセンシング可能な信号が減衰することになる。このような技術的な矛盾は、有利には強磁性で伝導性の結合部材を設けることによって解決される。強磁性材料から成る結合部材はたとえば、速度センサ素子から射出成形部品の端面側外側空所内に至るまで、軸線方向で延在している。
【００３１】
１つの有利な実施形態において、この結合部材に冷却フィンを装備することができ、これらの冷却フィンによって、速度センサ素子への熱流束が低減される。さらなる有利な特性として、結合部材は少なくとも一方の終端部にテーパ部を有しており、このテーパ部は、速度センサ素子において電界を集中させるために用いられる。
【００３２】
ただし速度センサ素子は、ここで単に例示的に言及したホール素子に限定されるものではない。特に、測定原理が磁気抵抗効果に基づく任意の能動型または受動型の速度センサ素子が考えられ、この場合、外部磁界の印加によって材料の電気抵抗の変化が生じる（ＭＲセンサ）。
【００３３】
本発明は、上述の速度センサが設けられた自動車の運転者支援システム、たとえばアンチロックブレーキシステム（ＡＢＳ）、トラクションコントロールシステム（ＴＣＳ）、横滑り防止装置（ＥＳＰ）、アダプティブクルーズコントロール（ＡＣＣ）、または少なくとも部分的に自律走行するための車両追従制御装置にも関し、さらにかかる運転者支援システムを備えた自動車にも関する。
【図面の簡単な説明】
【００３４】
次に、本発明の１つの実施例を図面に示し、以下の記載で詳しく説明する。
【図１Ａ】本発明による速度センサの１つの好ましい実施形態を示す断面図である。
【図１Ｂ】本発明による速度センサの１つの好ましい実施形態を、磁束を導くための結合部材と共に示す断面図である。
【図１Ｃ】磁束を導くための図１Ｂによる結合部材の１つの好ましい実施形態を示す断面図である。
【図２】本発明による速度センサのさらなる実施形態を示す断面図である。
【図３】図１による速度センサを部分的に分解して示す斜視図である。
【００３５】
実施例の説明
図１Ａには、ここではたとえば車輪回転数センサとして構成された、自動車の車輪の車輪回転数を測定するための速度センサ１００の１つの好ましい実施形態が示されている。速度センサ１００は、ここではたとえばアンチロックブレーキシステム（ＡＢＳ）において使用される。
【００３６】
速度センサ１００は、速度センサ１００のロータ１０１と共働するホールＩＣ１０４を含み、ロータ１０１は、自動車の車輪と同期して回転するようにそこに取り付けられている。ロータ１０１は、複数の永久磁石１０２を備えたリング１０３を有しており、それらの永久磁石１０２は、それらの磁極が交互に現れるようにロータ１０１の周囲に配置されており、したがってそれらの磁極は、ロータ１０１が回転したときにパルス状の磁束の変化を生成する。位置固定されたホールＩＣ１０４はホール素子１０５を含み、さらにここには明示的には示されていないさらなる構成要素を含む。したがってホール素子１０５は、永久磁石１０２の磁気回路内に磁気的に結合されている。ホール素子１０５には、ここには示されていない電圧導体を介して電圧が供給され、さらにホール素子１０５は、同様に図示されていないアース導体を介してアースされる。ホール素子１０５およびホールＩＣ１０４は、ここではたとえば１つの構造的なユニットを成しており、その際にホール素子１０５はロータ１０１と向き合っている。
【００３７】
ホール素子１０５は、ロータ１０１の回転により生成される磁束の変化の結果として、交流電圧信号をその出力端子に生成し、この出力端子は、ここではホールＩＣ１０４の評価電子装置と接続されており、次いで評価電子装置は出力信号を信号ケーブルに向けて供給し、その際にそこに印加される交流電圧信号の波形が標準化された信号波形に変換される。かかるホールＩＣ１０４の測定原理は十分に知られており、したがってここではこれ以上は説明しない。ホールＩＣ１０４およびホール素子１０５は、たとえばここでは１つの構造的なユニットを成しており、信号ケーブル１０６と共に完全に１つの射出成形部品１０７となるようにインサート成形されており、この射出成形部品１０７はここではたとえば円筒状の中実体を形成している。その際、ホール素子１０５とホールＩＣ１０４とから成るモジュールは特に、ロータ１０１と向き合った射出成形部品１０７の終端部１０８に配置されている一方、信号ケーブル１０６の端子１０９は、射出成形部品１０７の他方の終端部１１０から突出しており、この場合、それらの端子１０９にケーブルが接続されていて、後続処理のために、ここには図示されていない外部のＡＢＳコントロール電子装置に向けて、車輪回転数信号が供給される。射出成形部品１０７を、射出に適した任意のプラスチック材料から射出成形により製造されたものとすることができる。
【００３８】
プラスチックから成る射出成形部品１０７は、ここではたとえば部分的に速度センサハウジング１１１内に配置または収容されており、その際にここではたとえば、ロータ１０１とは反対側に向いた射出成形部品１０７の終端部１１０だけが、なお速度センサハウジング１１１から突出している。
【００３９】
速度センサハウジング１１１は、ここではたとえばカップ状で円筒状に形成されており、たとえば鋼板の深絞り加工によって作られている。この場合、射出成形部品１０７の外径はたとえば、速度センサハウジング１１１の壁部の半径方向内周面１１２の内径よりも僅かに小さく、したがって速度センサハウジング１１１の壁部の半径方向内周面１１２は、射出成形部品の半径方向外周面１１３にほぼ接触している。
【００４０】
この場合、速度センサ１００は、その速度センサハウジング１１１の半径方向外周面１１４でもって、ここには図示されていない位置固定された受容部の円筒孔内に、たとえばクランプスリーブを用いてシフト可能に装着されており、この受容部は、該当する車輪が回転可能に支承されている自動車の走行機構と接続されている。
【００４１】
さらにこの場合、ロータ１０１と対向していて、ホールＩＣ１０４およびホール素子１０５が組み込まれている射出成形部品１０７の終端部１０８は、カップ状の速度センサハウジング１１１の速度センサハウジング底部１１５によって囲われており、もしくは取り囲まれている。このようにして速度センサハウジング底部１１５とロータ１０１との間に、内法のまたは有効な空隙１１６’が形成されている。
【００４２】
射出成形部品１０７は、速度センサハウジング１１１の壁部の半径方向内周面１１２と向き合った、この射出成形部品１０７の半径方向外周面１１３に、ここではたとえば複数の互いに離間された半径方向外側空所１１６を有しており、この場合、これらの外側空所１１６各々の境界面と、速度センサハウジング１１１の壁部の半径方向内周面１１２との間に、それぞれ１つの空室が形成される。「空室」とは、そこにはたとえばシールなどさらなる構成要素は配置されていない、ということを意味する。ただし「空室」を、周囲圧力の空気で満たしておくことができ、または排気しておくことができ、または部分的に排気しておくこともできる。
【００４３】
特に、ロータ１０１と向き合った射出成形部品１０７の周面の端面に、ここではたとえばディスク状であり、速度センサ１００の中心軸線１１７と同軸の端面側外側空所１１６が形成されており、この外側空所１６の孔内にホール素子１０５が、このホール素子１０５のセンサ面が端面側空所と向き合うように、またはその中に突入するように、配置されている。
【００４４】
さらに、射出成形部品１０７の端面側外側空所１１６の底面と、速度センサハウジング底部１１５との間に、端面側外側空室を形成することができる。この場合にはホール素子１０５およびホールＩＣ１０４は、この端面側外側空室によって、ロータ１０１に対し特に効果的に熱絶縁されている。
【００４５】
さらにここではたとえば、周囲を延在するシールリングとして構成されたシール部材１１８が、速度センサハウジング１１１の壁部の半径方向内周面１１２と、射出成形部品１０７の半径方向外周面１１３との間に配置されており、したがって外側空室１１６が周囲に対し密閉されている。
【００４６】
空の外側空所１１６に加えて、または空の外側空所１１６の代わりに、射出成形部品１０７の内部に空の内側空所１１９を形成することができ、このようにしてこれらの内側空所１１９により内側空室が形成される。これらの空の内側空所１１９は、この場合も互いに分離されており、もしくは互いに離間されている。
【００４７】
図１Ｂには、ここでも射出成形部品１０７の端面側外側空所１１６と、速度センサハウジング底部１１５との間に形成されている端面側外側空室に起因して結果として生じる欠点を補う、さらなる実施形態が示されている。この欠点が生じる理由は、この外側空室は、有効な空隙１１６’を拡大させることになり、したがってホールＩＣ１０４のホール素子１０５における信号を弱めてしまう可能性があるからである。信号が弱まってしまうのを補うために、ここでは強磁性材料から成る結合部材１２０が設けられており、この結合部材１２０は、ここでは軸線方向でたとえばホールＩＣ１０４から射出成形部品１０７の端面側外側空所１１６の中まで延在している。この結合部材によって、その強磁性材料ゆえに磁束が強められ、ひいてはホールＩＣ１０４の信号も強められる。
【００４８】
結合部材１２０は、付加的に冷却フィン１２１と共に、磁界を集束させるために少なくとも一方の終端部に、図１Ｃに示されているようにテーパ部１２２を有することができる。強磁性の磁極ホイールにおいて使用する目的で、ホール素子１０５にバイアスを加えるために、磁石１２３を追加することができる。さらに図１Ｂには、１１２’によってセンサ先端の内周面が示されており、１１３’によってセンサ先端の外周面が示されている。
【００４９】
図１Ｃには、ホールＩＣ１０４のホール素子１０５内に磁束を集束させるためのテーパ状の終端部１２２と任意付加な熱分離部１１６とを有する結合部材１２０の移行部分が、拡大図で示されている。
【００５０】
図２には、ここでも同様にたとえば車輪回転数センサとして構成された速度センサ１００のさらなる実施形態が示されており、ここでは図１Ａの場合のように磁気的に符号化（コード化）されたロータ１０１またはリング１０３の代わりに、歯と間隙１０２’によって強磁性的に符号化されたロータ１０１が設けられている。ホール素子１０５に磁気的にバイアスを加えるために、たとえば付加的な永久磁石１２３が利用される。
【００５１】
図３は、速度センサハウジング１１１が部分的に取り除かれた速度センサ１００の部分破断図において、外側空所１１６に関する一例を示しており、この外側空所１１６は好ましくは、射出成形部品１０７に部分的にしか進入しておらず、したがって止まり穴のように境界面として底面も有する。
【００５２】
このようにして形成された内側空室および外側空室は、この場合には特に、たとえばシールリングのようなさらなる構成要素を収容するために用いられるのではなく、それぞれ空の絶縁室を形成している。特に、内側空室および外側空室は真空排気されており、外側空室は、特にこの場合、シールリング１１８によって周囲から密閉されており、したがって空気が外部から外側空室内に侵入する可能性はない。
【符号の説明】
【００５３】
１００  速度センサ
１０１  ロータ
１０２  永久磁石
１０２’  歯／間隙
１０３  リング
１０４  ホールＩＣ
１０５  ホール素子
１０６  信号ケーブル
１０７  射出成形部品
１０８  終端部
１０９  端子
１１０  終端部
１１１  速度センサハウジング
１１２  半径方向内周面
１１２’  センサ先端の内周面
１１３  半径方向外周面
１１３’  センサ先端の外周面
１１４  半径方向外周面
１１５  速度センサハウジング底部
１１６  外側空所
１１６’  センサとロータとの間の空隙
１１７  中心軸線
１１８  シールリング
１１９  内側空所
１２０  磁束のための結合部材
２１２  熱エネルギー放出用の冷却フィン
１２２  磁束を集束させるための結合部材のテーパ部
１２３  永久磁石
【図１Ａ】
2021510420.tif 000003
【図１Ｂ】
2021510420.tif 000004
【図１Ｃ】
2021510420.tif 000005
【図２】
2021510420.tif 000006
【図３】
2021510420.tif 000007
【国際調査報告】
2021510420.tif 000008
2021510420.tif 000009
2021510420.tif 000010
2021510420.tif 000011
2021510420.tif 000012